【手続補正書】
【提出日】平成17年2月21日(2005.2.21)
【手続補正１】
【補正対象書類名】明細書
【補正対象項目名】特許請求の範囲
【補正方法】変更
【補正の内容】
【特許請求の範囲】
【請求項１】
シャッタ開口を有する基板と、前記シャッタ開口上を所定方向に走行して重畳状態および展開状態となる遮光羽根群と、基端部が前記基板における前記所定方向に対し直交する方向での前記シャッタ開口の両側の部分のうち一方の部分に回動可能に取り付けられるとともに中間部から先端部にかけて前記遮光羽根群における前記一方の側に回動可能に連結されて平行リンクを構成する第１および第２のアーム部材とを有して構成されるシャッタ装置であって、
前記第１のアーム部材は、前記第２のアーム部材よりも前記基板における前記所定方向の端部近くにて回動するよう配置されており、
前記遮光羽根群が重畳状態であり前記第１および第２のアーム部材が回動端に位置した状態で、前記第１のアーム部材の基端部の回動中心と前記第１のアーム部材の最も先端部における遮光羽根の回動連結中心とを結ぶ線分の方向と、前記シャッタ開口の面に平行で前記所定方向に対し直交する方向とのなす角αが、
４５°≦α≦５０°
なる条件を満足することを特徴とするシャッタ装置。
【請求項２】
シャッタ開口を有する基板と、前記シャッタ開口上を所定方向に走行して重畳状態および展開状態となる遮光羽根群と、基端部が前記基板における前記所定方向に対し直交する方向での前記シャッタ開口の両側の部分のうち一方の部分に回動可能に取り付けられるとともに中間部から先端部にかけて前記遮光羽根群における前記一方の側に回動可能に連結されて平行リンクを構成する第１および第２のアーム部材とを有して構成されるシャッタ装置であって、
前記第１のアーム部材は、前記第２のアーム部材よりも前記基板における前記所定方向の端部近くにて回動するよう配置されており、
前記遮光羽根群が重畳状態であり前記第１および第２のアーム部材が回動端に位置した状態で、前記第１のアーム部材の基端部の回動中心と前記第１のアーム部材の最も先端部における遮光羽根の回動連結中心とを結ぶ線分の方向と、前記シャッタ開口の面に平行で前記所定方向に対し直交する方向とのなす角αが、
４５°≦α≦５０°
なる条件を満足し、かつ前記第１のアーム部材の基端部の回動中心から前記第１のアーム部材の先端部における遮光羽根の回動中心までの寸法Ｄと、前記シャッタ開口の前記所定方向の寸法Ａとが、
０．７８Ａ≦Ｄ≦０．９０Ａ
なる条件を満足することを特徴とするシャッタ装置。
【請求項３】
シャッタ開口を有する基板と、前記シャッタ開口上を所定方向に走行して重畳状態および展開状態となる遮光羽根群と、基端部が前記基板における前記所定方向に対し直交する方向での前記シャッタ開口の両側の部分のうち一方の部分に回動可能に取り付けられるとともに中間部から先端部にかけて前記遮光羽根群における前記一方の側に回動可能に連結されて平行リンクを構成する第１および第２のアーム部材とを有して構成されるシャッタ装置であって、
前記第１のアーム部材の最も先端部に遮光羽根を連結する連結部材の回動中心と、この遮光羽根における前記連結部材の回動中心に近い側の前記所定方向に略直交する端部との距離Ｈと、この遮光羽根における前記所定方向の幅Ｗとが、
０．３Ｗ≦Ｈ≦０．４Ｗ
なる条件を満足することを特徴とするシャッタ装置。
【請求項４】
シャッタ開口を有する基板と、前記シャッタ開口上を所定方向に走行して重畳状態および展開状態となる遮光羽根群と、基端部が前記基板における前記所定方向に対し直交する方向での前記シャッタ開口の両側の部分のうち一方の部分に回動可能に取り付けられるとともに中間部から先端部にかけて前記遮光羽根群における前記一方の側に回動可能に連結されて平行リンクを構成する第１および第２のアーム部材とを有して構成されるシャッタ装置であって、
前記第１のアーム部材の最も先端部に連結された遮光羽根に隣接する遮光羽根を連結するための連結部材の回動中心と、この隣接する遮光羽根における前記連結部材の回動中心に近い側の前記所定方向に対し略直交する端部との距離Ｈ2 と、この隣接する遮光羽根における前記所定方向の幅Ｗ2 とが、
０．２６Ｗ2 ≦Ｈ2 ≦０．３４Ｗ2
なる条件を満足することを特徴とするシャッタ装置。
【請求項５】
シャッタ開口を有する基板と、前記シャッタ開口上を所定方向に走行して前記シャッタ開口を閉鎖する展開状態から前記シャッタ開口を開放する重畳状態となる先幕側の遮光羽根群と、基端部が前記基板における前記所定方向に対し直交する方向での前記シャッタ開口の両側の部分のうち一方の部分に回動可能に取り付けられるとともに中間部から先端部にかけて前記先幕側の遮光羽根群における前記一方の側に回動可能に連結されて平行リンクを構成する先幕側の第１および第２のアーム部材と、前記シャッタ開口上を前記所定方向に走行して前記シャッタ開口を開放する重畳状態から前記シャッタ開口を閉鎖する展開状態となる後幕側の遮光羽根群と、基端部が前記基板における前記所定方向に対し直交する方向での前記一方の部分に回動可能に取り付けられるとともに中間部から先端部にかけて前記後幕側の遮光羽根群における前記一方の側に回動可能に連結されて平行リンクを構成する後幕側の第１および第２のアーム部材とを有して構成されるシャッタ装置であって、
先幕側および後幕側のそれぞれにおいて、前記第１のアーム部材は前記第２のアーム部材よりも前記基板における前記所定方向の端部側にて回動するよう配置されており、
先幕側および後幕側のそれぞれにおいて、前記遮光羽根群が重畳状態であり前記第１および第２のアーム部材が回動端に位置した状態で、前記第１のアーム部材の基端部の回動中心と前記第１のアーム部材の最も先端部における遮光羽根の回動連結中心とを結ぶ線分の方向と前記シャッタ開口の面に平行で前記所定方向に対し直交する方向とのなす角αが、
４５°≦α≦５０°
なる条件を満足することを特徴とするシャッタ装置。
【請求項６】
シャッタ開口を有する基板と、前記シャッタ開口上を所定方向に走行して前記シャッタ開口を閉鎖する展開状態から前記シャッタ開口を開放する重畳状態となる先幕側の遮光羽根群と、基端部が前記基板における前記所定方向に対し直交する方向での前記シャッタ開口の両側の部分のうち一方の部分に回動可能に取り付けられるとともに中間部から先端部にかけて前記先幕側の遮光羽根群における前記一方の側に回動可能に連結されて平行リンクを構成する先幕側の第１および第２のアーム部材と、前記シャッタ開口上を前記所定方向に走行して前記シャッタ開口を開放する重畳状態から前記シャッタ開口を閉鎖する展開状態となる後幕側の遮光羽根群と、基端部が前記基板における前記所定方向に対し直交する方向での前記一方の部分に回動可能に取り付けられるとともに中間部から先端部にかけて前記後幕側の遮光羽根群における前記一方の側に回動可能に連結されて平行リンクを構成する後幕側の第１および第２のアーム部材とを有して構成されるシャッタ装置であって、
先幕側および後幕側のそれぞれにおいて、前記第１のアーム部材は前記第２のアーム部材よりも前記基板における前記所定方向の端部側にて回動するよう配置されており、
先幕側および後幕側のそれぞれにおいて、前記遮光羽根群が重畳状態であり前記第１および第２のアーム部材が回動端に位置した状態で、前記第１のアーム部材の基端部の回動中心と前記第１のアーム部材の最も先端部における遮光羽根の回動連結中心とを結ぶ線分の方向と前記シャッタ開口の面に平行で前記所定方向に対し直交する方向とのなす角αが、
４５°≦α≦５０°
なる条件を満足し、かつ先幕側および後幕側のそれぞれにおいて、前記第１のアーム部材の基端部の回動中心から前記第１のアーム部材の先端部における遮光羽根の回動中心までの寸法Ｄと、前記シャッタ開口の前記所定方向の寸法Ａとが、
０．７８Ａ≦Ｄ≦０．９０Ａ
なる条件を満足することを特徴とするシャッタ装置。
【請求項７】
シャッタ開口を有する基板と、前記シャッタ開口上を所定方向に走行して前記シャッタ開口を閉鎖する展開状態から前記シャッタ開口を開放する重畳状態となる先幕側の遮光羽根群と、基端部が前記基板における前記所定方向に対し直交する方向での前記シャッタ開口の両側の部分のうち一方の部分に回動可能に取り付けられるとともに中間部から先端部にかけて前記先幕側の遮光羽根群における前記一方の側に回動可能に連結されて平行リンクを構成する先幕側の第１および第２のアーム部材と、前記シャッタ開口上を前記所定方向に走行して前記シャッタ開口を開放する重畳状態から前記シャッタ開口を閉鎖する展開状態となる後幕側の遮光羽根群と、基端部が前記基板における前記所定方向に対し直交する方向での前記一方の部分に回動可能に取り付けられるとともに中間部から先端部にかけて前記後幕側の遮光羽根群における前記一方の側に回動可能に連結されて平行リンクを構成する後幕側の第１および第２のアーム部材とを有して構成されるシャッタ装置であって、
先幕側および後幕側のそれぞれにおいて、前記第１のアーム部材の最も先端部に遮光羽根を連結する連結部材の回動中心と、この遮光羽根における前記連結部材の回動中心に近い側の前記所定方向に略直交する端部との距離Ｈと、この遮光羽根における前記所定方向の幅Ｗとが、
０．３Ｗ≦Ｈ≦０．４Ｗ
なる条件を満足することを特徴とするシャッタ装置。
【請求項８】
シャッタ開口を有する基板と、前記シャッタ開口上を所定方向に走行して前記シャッタ開口を閉鎖する展開状態から前記シャッタ開口を開放する重畳状態となる先幕側の遮光羽根群と、基端部が前記基板における前記所定方向に対し直交する方向での前記シャッタ開口の両側の部分のうち一方の部分に回動可能に取り付けられるとともに中間部から先端部にかけて前記先幕側の遮光羽根群における前記一方の側に回動可能に連結されて平行リンクを構成する先幕側の第１および第２のアーム部材と、前記シャッタ開口上を前記所定方向に走行して前記シャッタ開口を開放する重畳状態から前記シャッタ開口を閉鎖する展開状態となる後幕側の遮光羽根群と、基端部が前記基板における前記所定方向に対し直交する方向での前記一方の部分に回動可能に取り付けられるとともに中間部から先端部にかけて前記後幕側の遮光羽根群における前記一方の側に回動可能に連結されて平行リンクを構成する後幕側の第１および第２のアーム部材とを有して構成されるシャッタ装置であって、
先幕側および後幕側のそれぞれにおいて、前記第１のアーム部材の最も先端部に連結された遮光羽根に隣接する遮光羽根を連結するための連結部材の回動中心と、この隣接する遮光羽根における前記連結部材の回動中心に近い側の前記所定方向に対し略直交する端部との距離Ｈ2 と、この隣接する遮光羽根における前記所定方向の幅Ｗ2 とが、
０．２６Ｗ2 ≦Ｈ2 ≦０．３４Ｗ2
なる条件を満足することを特徴とするシャッタ装置。
【請求項９】
請求項１から８のいずれかに記載のシャッタ装置を備えたことを特徴とする機器。
【請求項１０】
請求項１から８のいずれかに記載のシャッタ装置を備えたことを特徴とするカメラ。
【請求項１１】
請求項１から８のいずれかに記載のシャッタ装置と、投写された画像を記憶し、この記憶画像を表示する空間光変調素子を含む記憶表示手段とを有し、
前記シャッタ装置を閉鎖して外光を遮断した状態で前記記憶表示手段に画像を投写し記憶させ、前記シャッタ装置を開放した状態で前記記憶表示手段に記憶画像を表示させることを特徴とする画像表示装置。
【手続補正２】
【補正対象書類名】明細書
【補正対象項目名】００３６
【補正方法】変更
【補正の内容】
【００３６】
【課題を解決するための手段】
上記の目的を達成するために、本願第１の発明では、シャッタ開口を有する基板と、シャッタ開口上を所定方向に走行して重畳状態および展開状態となる遮光羽根群と、基端部が基板における上記所定方向に対し直交する方向でのシャッタ開口の両側の部分のうち一方の部分に回動可能に取り付けられるとともに中間部から先端部にかけて遮光羽根群における上記一方の側に回動可能に連結されて平行リンクを構成する第１および第２のアーム部材とを有して構成されるシャッタ装置において、第１のアーム部材を、第２のアーム部材よりも基板における上記所定方向の端部近くにて回動するよう配置し、遮光羽根群が重畳状態であり第１および第２のアーム部材が回動端に位置した状態で、第１のアーム部材の基端部の回動中心と第１のアーム部材の最も先端部における遮光羽根の回動連結中心とを結ぶ線分の方向と、シャッタ開口の面に平行で上記所定方向に対し直交する方向とのなす角αが、
４５°≦α≦５０°
なる条件を満足するようにしている。